(57)【特許請求の範囲】
【請求項１】
相互に係合・分離自在な雄部・雌部の一方を有する第１部材（Ｊ）と、他方を有する第２部材（Ｋ）から成るファスナ（Ｆ）を備えた収納袋に於て、
一端縁部（９ａ）と他端縁部（９ｂ）の間の中間位置で、表壁部（90）を該一端縁部（９ａ）側の第１半部（81）と上記他端縁部（９ｂ）側の第２半部（82）に分離する開口部（９ｄ）を有する袋体（９）を備え、
上記袋体（９）は、上記第１半部（81）の外面（81ｅ）に上記第１部材（Ｊ）を設けると共に、上記第２半部（82）の内面（82ｆ）に上記第２部材（Ｋ）を設けて、上記ファスナ（Ｆ）によって上記開口部（９ｄ）を開閉自在に構成し、上記第１半部（81）と裏壁部（99）と上記第２半部（82）は、一枚のフィルム素材（70）を折曲げて構成され、
さらに、上記袋体（９）の上記ファスナ（Ｆ）を開閉操作するためのスライダ具（３）を備え、
上記スライダ具（３）は、上記第２半部（82）の上記第２部材（Ｋ）を設けた部位であるファスナ雌雄一方部（Ｆａ）と、上記第１半部（81）の上記第１部材（Ｊ）を設けた部位であるファスナ雌雄他方部（Ｆｂ）と、を相互に上下方向（Ｔ）から押圧して係合させるための絞り部（19）を後端部（１ｂ）に有する第１スライダ部材（１）を備えると共に、該第１スライダ部材（１）に前後方向（Ｎ）に所定前後寸法（Ｚ）だけ移動可能に組み付けられた第２スライダ部材（２）を備え、
上記スライダ具（３）は、上記第１スライダ部材（１）と上記第２スライダ部材（２）によって、左右一方側（Ｗａ）に開口すると共に上記ファスナ雌雄一方部（Ｆａ）が挿通する前方上傾状の第１差込溝（31）と、左右他方側（Ｗｂ）に開口すると共に上記ファスナ雌雄他方部（Ｆｂ）が挿通する前方下傾状の第２差込溝（32）と、が形成され、上記第１スライダ部材（１）と上記第２スライダ部材（２）を相対的に上記前後方向（Ｎ）に移動して相互に接近させると、上記第１差込溝（31）及び上記第２差込溝（32）の各開口幅寸法（Ｓ１）（Ｓ２）が減少して、各差込溝（31）（32）内の上記ファスナ雌雄一方部（Ｆａ）・ファスナ雌雄他方部（Ｆｂ）の左右方向（Ｗ）への抜け止めを行うように構成していることを特徴とする収納袋。
【請求項２】
相互に係合・分離自在な雄部・雌部の一方を有する第１部材（Ｊ）と、他方を有する第２部材（Ｋ）から成るファスナ（Ｆ）を備えた収納袋に於て、
一端縁部（９ａ）と他端縁部（９ｂ）の間の中間位置で、表壁部（90）を該一端縁部（９ａ）側の第１半部（81）と上記他端縁部（９ｂ）側の第２半部（82）に分離する開口部（９ｄ）を有する袋体（９）を備え、
上記袋体（９）は、上記第１半部（81）の内面（81ｆ）に上記第１部材（Ｊ）を設けると共に、上記第２半部（82）の外面（82ｅ）に上記第２部材（Ｋ）を設けて、上記ファスナ（Ｆ）によって上記開口部（９ｄ）を開閉自在に構成し、上記第１半部（81）と裏壁部（99）と上記第２半部（82）は、一枚のフィルム素材（70）を折曲げて構成され、
さらに、上記袋体（９）の上記ファスナ（Ｆ）を開閉操作するためのスライダ具（３）を備え、
上記スライダ具（３）は、上記第１半部（81）の上記第１部材（Ｊ）を設けた部位であるファスナ雌雄一方部（Ｆａ）と、上記第２半部（82）の上記第２部材（Ｋ）を設けた部位であるファスナ雌雄他方部（Ｆｂ）と、を相互に上下方向（Ｔ）から押圧して係合させるための絞り部（19）を後端部（１ｂ）に有する第１スライダ部材（１）を備えると共に、該第１スライダ部材（１）に前後方向（Ｎ）に所定前後寸法（Ｚ）だけ移動可能に組み付けられた第２スライダ部材（２）を備え、
上記スライダ具（３）は、上記第１スライダ部材（１）と上記第２スライダ部材（２）によって、左右一方側（Ｗａ）に開口すると共に上記ファスナ雌雄一方部（Ｆａ）が挿通する前方上傾状の第１差込溝（31）と、左右他方側（Ｗｂ）に開口すると共に上記ファスナ雌雄他方部（Ｆｂ）が挿通する前方下傾状の第２差込溝（32）と、が形成され、上記第１スライダ部材（１）と上記第２スライダ部材（２）を相対的に上記前後方向（Ｎ）に移動して相互に接近させると、上記第１差込溝（31）及び上記第２差込溝（32）の各開口幅寸法（Ｓ１）（Ｓ２）が減少して、各差込溝（31）（32）内の上記ファスナ雌雄一方部（Ｆａ）・ファスナ雌雄他方部（Ｆｂ）の左右方向（Ｗ）への抜け止めを行うように構成していることを特徴とする収納袋。
【請求項３】
上記一端縁部（９ａ）と上記開口部（９ｄ）の間で装飾用及び／又は補強用の薄帯片（60）を収納する薄帯片収納部（９ｅ）を形成するための融着仕切部（95）を、上記一端縁部（９ａ）と平行状に有する請求項１又は２記載の収納袋。
【発明の詳細な説明】
【技術分野】
【０００１】
本発明は、開閉自在なファスナを有する収納袋に関する。
【背景技術】
【０００２】
従来、ファスナを有する収納袋は、袋体の一端縁部にファスナを設けた開口部を形成していた（例えば、特許文献１参照）。
【先行技術文献】
【特許文献】
【０００３】
【特許文献１】特開２００２−９８６８８号公報
【発明の概要】
【発明が解決しようとする課題】
【０００４】
従来の収納袋は、袋体の一端縁部において、表壁部の内面と裏壁部の内面の間にファスナを設けていたため、ファスナよりも一端縁側に、持ち手部材や持ち手用窓部を設けると、手に持ったままファスナを開閉することが困難といった問題や、薄い表壁部と裏壁部夫々に荷重がかかり伸びや破れ等の不具合が発生するといった問題があった。また、ファスナよりも一端縁側は、表壁部と裏壁部の間が開閉自由状態であり、コシが弱く、商品展示用として用いた場合に、商品説明や広告等の装飾片や、持ち手部材の基端部に対応する部位を補強するための補強片を製作し、その後、袋体に固着する必要があるといった問題があった。つまり、ファスナよりも一端縁部側の強度やコシが弱くなり、バッグや商品展示袋等として使用可能とするために多くの問題（制約）があり、製造に多大な時間と手間がかかるといった問題があった。
【０００５】
そこで、本発明は、ファスナを設けたことによって端縁部の強度やコシが低下することなく、しかも、容易かつ迅速に効率良く製造が可能な収納袋の提供を目的とする。
【課題を解決するための手段】
【０００６】
上記目的を達成するために、本発明の収納袋は、相互に係合・分離自在な雄部・雌部の一方を有する第１部材と、他方を有する第２部材から成るファスナを備えた収納袋に於て、一端縁部と他端縁部の間の中間位置で、表壁部を該一端縁部側の第１半部と上記他端縁部側の第２半部に分離する開口部を有する袋体を備え、上記袋体は、上記第１半部の外面に上記第１部材を設けると共に、上記第２半部の内面に上記第２部材を設けて、上記ファスナによって上記開口部を開閉自在に構成し、上記第１半部と裏壁部と上記第２半部は、一枚のフィルム素材を折曲げて構成され、さらに、上記袋体の上記ファスナを開閉操作するためのスライダ具を備え、上記スライダ具は、上記第２半部の上記第２部材を設けた部位であるファスナ雌雄一方部と、上記第１半部の上記第１部材を設けた部位であるファスナ雌雄他方部と、を相互に上下方向から押圧して係合させるための絞り部を後端部に有する第１スライダ部材を備えると共に、該第１スライダ部材に前後方向に所定前後寸法だけ移動可能に組み付けられた第２スライダ部材を備え、上記スライダ具は、上記第１スライダ部材と上記第２スライダ部材によって、左右一方側に開口すると共に上記ファスナ雌雄一方部が挿通する前方上傾状の第１差込溝と、左右他方側に開口すると共に上記ファスナ雌雄他方部が挿通する前方下傾状の第２差込溝と、が形成され、上記第１スライダ部材と上記第２スライダ部材を相対的に上記前後方向に移動して相互に接近させると、上記第１差込溝及び上記第２差込溝の各開口幅寸法が減少して、各差込溝内の上記ファスナ雌雄一方部・ファスナ雌雄他方部の左右方向への抜け止めを行うように構成しているものである。
【０００７】
また、相互に係合・分離自在な雄部・雌部の一方を有する第１部材と、他方を有する第２部材から成るファスナを備えた収納袋に於て、一端縁部と他端縁部の間の中間位置で、表壁部を該一端縁部側の第１半部と上記他端縁部側の第２半部に分離する開口部を有する袋体を備え、上記袋体は、上記第１半部の内面に上記第１部材を設けると共に、上記第２半部の外面に上記第２部材を設けて、上記ファスナによって上記開口部を開閉自在に構成し、上記第１半部と裏壁部と上記第２半部は、一枚のフィルム素材を折曲げて構成され、さらに、上記袋体の上記ファスナを開閉操作するためのスライダ具を備え、上記スライダ具は、上記第１半部の上記第１部材を設けた部位であるファスナ雌雄一方部と、上記第２半部の上記第２部材を設けた部位であるファスナ雌雄他方部と、を相互に上下方向から押圧して係合させるための絞り部を後端部に有する第１スライダ部材を備えると共に、該第１スライダ部材に前後方向に所定前後寸法だけ移動可能に組み付けられた第２スライダ部材を備え、上記スライダ具は、上記第１スライダ部材と上記第２スライダ部材によって、左右一方側に開口すると共に上記ファスナ雌雄一方部が挿通する前方上傾状の第１差込溝と、左右他方側に開口すると共に上記ファスナ雌雄他方部が挿通する前方下傾状の第２差込溝と、が形成され、上記第１スライダ部材と上記第２スライダ部材を相対的に上記前後方向に移動して相互に接近させると、上記第１差込溝及び上記第２差込溝の各開口幅寸法が減少して、各差込溝内の上記ファスナ雌雄一方部・ファスナ雌雄他方部の左右方向への抜け止めを行うように構成しているものである。
【０００８】
また、上記一端縁部と上記開口部の間で装飾用及び／又は補強用の薄帯片を収納する薄帯片収納部を形成するための融着仕切部を、上記一端縁部と平行状に有するものである。
【発明の効果】
【０００９】
本発明によれば、一端縁部側がフィルム素材の折曲げによって形成され、コシが強いと共に十分な強度を得ることができ、持ち手部材の取着や、持ち手用又は吊下展示用の窓部を設けても伸びや破れ等の不具合が発生せず、重い収納物を収容が可能となる。ファスナよりも一端縁部側を、広告や商品説明等の装飾印刷可能なヘッダ部や持ち手部材取付部位や窓形成部位として利用でき、収納袋を、バッグや商品展示用として様々な用途に使用できる。また、持ち手部材を付設しても、開口部の開閉を容易に行うことができる。
【図面の簡単な説明】
【００１０】
【図１】本発明の実施の一形態を示す平面図である。
【図２】図１の断面側面図である。
【図３】袋体の製造工程を説明するための簡略断面側面図であって、（ａ）は袋素材の一例を示す断面側面図であり、（ｂ）は折曲げ途中状態を示す断面側面図である。
【図４】袋素材の製造装置及び方法を説明するための簡略斜視図である。
【図５】第１回転ドラムの一例を示す断面図である。
【図６】第２回転ドラムの一例を示す断面図である。
【図７】他の実施形態を示す断面側面図である。
【図８】他の実施形態に用いる袋体の製造工程を説明するための簡略断面側面図であって、（ａ）は袋素材の一例を示す断面側面図であり、（ｂ）は折曲げ途中状態を示す断面側面図である。
【図９】第２実施形態を示し、スライダ具の取着状態の一例を示す平面図である。
【図１０】図１のＡ−Ａ断面図である。
【図１１】図１のＢ−Ｂ断面図である。
【図１２】図11の簡略Ｃ−Ｃ端面図である。
【図１３】図11の簡略Ｘ−Ｘ端面図である。
【図１４】袋体取着途中状態の左右一方側面図である。
【図１５】図14の断面側面図である。
【図１６】図15の簡略Ｄ−Ｄ端面図である。
【図１７】図15の簡略Ｙ―Ｙ端面図である。
【図１８】第１スライダ部材の一例を示し、前上方から見た斜視図である。
【図１９】第１スライダ部材の一例を示し、後上方から見た斜視図である。
【図２０】第２スライダ部材の一例を示し、前上方から見た斜視図である。
【図２１】第２スライダ部材の一例を示し、後上方から見た斜視図である。
【図２２】スライダ具の左右他方側面図である。
【図２３】スライドロック状態の左右一方側面図である。
【図２４】スライドロック状態を前上方から見た斜視図である。
【発明を実施するための形態】
【００１１】
以下、図示の実施形態に基づき本発明を詳説する。
本発明に係る収納袋は、図１及び図２に示すように、相互に係合・分離自在な雄部・雌部の一方を有する樹脂製の第１部材Ｊと、他方を有する樹脂製の第２部材Ｋから成る樹脂製のファスナＦを備えた樹脂製の袋体９を具備するものである。
袋体９は、図２に示すように、水平面状の設置面Ｇに沿わせて、裏壁部99を（設置面Ｇに平行状にして）載置した基準姿勢において、一端縁部９ａと他端縁部９ｂの間で、表壁部90を一端縁部９ａ側の第１半部81と、他端縁部９ｂ側の第２半部82に分離するように上下方向Ｔに開口する開口部９ｄを有している。
【００１２】
袋体９は、ファスナ閉状態で、第２半部82の開口端縁部82ａと、第１半部81の開口端縁部81ａとが、ファスナ幅方向Ｗに所定ラップ寸法Ｅをもって上下方向Ｔに重なったラップ部を有している。
図２に於て、第１半部81の開口端縁部81ａよりも袋外方側に第２半部82の開口端縁部82ａを配設している。
第１半部81の袋外面81ｅに第１部材Ｊを設け、第２半部82の袋内面82ｆに第２部材Ｋを設けて、ファスナＦによって開口部９ｄを開閉自在に構成している。
【００１３】
袋体９は、図３（ａ）に示すように、一枚の長尺帯状の樹脂製のフィルム素材70の素材長手方向に沿った一縁部70ｊの一面70ａに、樹脂製の長尺細帯状の第１部材Ｊを融着すると共に素材長手方向に沿った他縁部70ｋの他面70ｂに長尺細帯状の第２部材Ｋを融着して形成した長尺帯状の袋素材10を、用いて作成している。
図３（ｂ）に示すように、一面70ａが袋体９の外面となるように（他面70ｂが袋体９の内面となるように）折曲げ、かつ、一縁部70ｊよりも他縁部70ｋが袋体９の外方側となるようにラップさせる（折曲工程）。そして、第１部材Ｊと第２部材Ｋを係合させて袋素材10を筒状に形成し（筒状体作成工程）、その後、素材長手方向の所定間隔寸法をもって、袋体９の両側縁部９ｆ，９ｆとなる部位（図１参照）を、融着しつつ切断（溶断）して（側縁部形成工程）、袋体９を作成している。
なお、帯状の袋素材10を予め所定寸法に切断した後に、折曲工程を行って、短筒状体を作成し（筒状体作成工程）、その後、側縁部形成工程において、融着し、溶断を省略して袋体９を作成しても良い。
【００１４】
つまり、図１及び図２に示すように、袋体９は、一端縁部９ａ側を折曲げにて第１半部81と裏壁部99とが連続状となって閉じ、他端縁部９ｂ側は折曲げにて第２半部82と裏壁部99とが連続状となって閉じ、両側縁部９ｆ，９ｆは表壁部90と裏壁部99の融着によって一体状となって閉じた１枚のフィルム素材70によって形成している。
【００１５】
さらに、袋体９は、一端縁部９ａと開口部９ｄの間で、一端縁部９ａ（開口部９ｄ）と平行状に、第１半部81と裏壁部99を融着した融着仕切部95を有している。
融着仕切部95と、折曲がりの一端縁部９ａと、両側縁部９ｆ，９ｆによって囲まれ、薄帯片60を収容可能な薄帯片収納部９ｅを形成している。
【００１６】
融着仕切部95は、平面視一直線状に形成しているが、破線（点線）状に設けても良い。つまり、薄帯片60が、開口部９ｄよりも他端縁部９ｂに移動しないように設けていれば良い。
また、融着仕切部95を形成する工程（仕切形成工程）は、側縁部形成工程の前後、或いは、側縁部形成工程と同時に行えば良い。
【００１７】
薄帯片60は、樹脂製であって、広告や店名、ブランド名、デザイン、収納物の説明等が表示されている装飾用と、持ち手部材59を取着した際や展示用吊下用窓部、或いは手持ち用窓部等の貫孔を形成した際に強度を向上させる補強用と、を併用（機能を両立）したものである。なお、装飾用のみ、又は、補強用のみとすると良い。
【００１８】
また、薄帯片60を、袋素材10に重ねて配設する工程（薄帯片配置工程）は、折曲工程や仕切形成工程の前後いつでも良い。
例えば、図３（ａ）の袋素材10の他面70ｂ上に、袋体９の一端縁部９ａとなる予定部位に沿って、長尺薄帯片素材を配設し、折曲工程を行った後、仕切形成工程を行い、その後、袋体９の両側縁部９ｆ，９ｆとなる部位と共に、（側縁部形成部位において）長尺薄帯片素材を所定長さ寸法に融着・溶断して、薄帯片60を薄帯片収納部９ｅ内に残存させる。
或いは、仕切形成工程後に、袋体９の一端縁部９ａとなる折曲部と、融着仕切部95の間に、長尺薄帯片素材を挿入しても良い。また、所定長さ寸法の薄帯片60を用いても良い。
【００１９】
ここで、袋素材10の製造方法は、図４に示すように、長尺帯状のフィルム素材70の一面70ａが第１回転ドラム21の外周面と対面状となるように走行させる（送る）と共に、一面70ａと第１回転ドラム21の外周面の間に、長尺細帯状の第１部材Ｊ（第１部材素材）を、第１回転ドラム21の外周面に沿うように走行させ（送り）、図５に示すように、第１回転ドラム21の外周面上で第１部材Ｊの基盤部Ｊｂとフィルム素材70の一縁部70ｊの一面70ａが面接触し、第１部材Ｊの係合部Ｊａは第１回転ドラム21に設けた第１外周凹溝21ａ内に送られる。そして、第１回転ドラム21の外周面近傍に設けた第１融着手段22によって、フィルム素材70の一縁部70ｊの一面70ａに第１部材Ｊが融着される。
その後、図４に示すように、一面70ａと他面70ｂと表裏反転させるための複数（図例では２つ）の表裏反転用ローラ23，23を介して、第１部材Ｊが融着したフィルム素材70（半完成袋素材70´）の他面70ｂが、第２回転ドラム24の外周面と対面状となるように送る。また、長尺細帯状の第２部材Ｋ（第２部材素材）を第２回転ドラム24とフィルム素材70の他面70ｂの間に送る。図６に示すように、第２回転ドラム24の外周面上で第２部材Ｋの基盤部Ｋｂとフィルム素材70の他縁部70ｋの他面70ｂが面接触し、第２部材Ｋの係合部Ｋａは、第２回転ドラム24に設けた第２外周凹溝24ａ内に送られる。そして、第２回転ドラム24の近傍に設けた第２融着手段25によって、フィルム素材70の他縁部70ｋの他面70ｂに第２部材Ｋが融着され、帯状の袋素材10を製作している。
【００２０】
また、フィルム素材70は、複数層から成り、一面70ａを形成する第１外層の材質と、他面70ｂを形成する第２外層の材質とを、第１部材Ｊ及び第２部材Ｋの材質と同じにしている。第１・第２外層の材質としては、オレフィン系樹脂が望ましく、例えば、ＰＰ，ＯＰＣＰ，ＯＰＩ等である。
このように構成することで、樹脂製のフィルム素材70の両面70ａ，70ｂに、樹脂製の第１部材Ｊと第２部材Ｋを夫々、融着することが容易となると共に、長期間にわたって分離を防止できる。
また、第１外層と第２外層の間に中間層を設け、フィルム素材70のコシや強度を付与している。内層の材質としては、例えば、ＰＥＴ，ＯＰ等が望ましい。
【００２１】
また、袋体９の一端縁部９ａ側に、持ち手部材59を備えている。持ち手部材59の基端取付部59ａは、薄帯片収納部９ｅ及び薄帯片60を挿通して取着され、伸びや破れの発生が防止される。また、持ち手部材59によって開口部９ｄの開閉が邪魔にならない。
【００２２】
また、図１に示すように、ファスナＦを開閉操作するためのスライダ具３を備えている。なお、スライダ具３の説明に於て、袋体９を水平面状の設置面Ｇに沿わせて載置した基準姿勢において、ファスナ長手方向を前後方向Ｎと呼び、ファスナ幅方向を左右方向Ｗと呼び、鉛直方向（ファスナ高さ方向）を上下方向Ｔと呼んで方向を説明している。そして、スライダ具３がファスナＦを閉じるように走行する方向を前方側Ｎａと呼び、ファスナＦを開くようにスライダする方向を後方側Ｎｂと呼ぶ。
また、スライダ具３の説明に於て、第１半部81を第２シート部92と呼び、第２半部82を第１シート部91と呼ぶ。つまり、開口部９ｄのラップ部Ｒで袋外面側に開口端縁部が配設される表壁部90の半部を、第１シート部91と呼び、開口部９ｄのラップ部Ｒで袋内面側に開口端縁部が配設される表壁部90の半部を、第２シート部92と呼んで説明する。さらに、第１シート部91の開口端縁部91ａにおいて、ファスナＦの雄部・雌部の一方を有する部材を設けた部位（つまり、第２半部82の開口端縁部82ａに第２部材Ｋを設けた部位）を、ファスナ雌雄一方部Ｆａと呼び、第２シート部92の開口端縁部92ａにおいて、ファスナＦの雄部・雌部の他方を有する部材を設けた部位（つまり、第１半部81の開口端縁部81ａに第１部材Ｊを設けた部位）を、ファスナ雌雄他方部Ｆｂと呼ぶ。
【００２３】
図10に示すように、スライダ具３は、第１シート部91の開口端縁部91ａ及び第２シート部92の開口端縁部92ａに、前後方向Ｎにスライド自在に取着して、前方側Ｎａへスライドすることで後方側ＮｂのファスナＦを閉状態にし、後方側Ｎｂへスライドすることで前方側ＮａのファスナＦを開状態にするものである。
【００２４】
図10乃至図13に示すように、閉状態のファスナＦを、ファスナ雌雄一方部Ｆａとファスナ雌雄他方部Ｆｂとに上下方向Ｔに分離させて開状態とするための分離ガイド部18を内部に有すると共にファスナ雌雄一方部Ｆａとファスナ雌雄他方部Ｆｂとを相互に上下方向Ｔから押圧して係合させるための絞り部19を後端部１ｂに有する樹脂製の第１スライダ部材１を備えている。
さらに、図14及び図15に示すように、第１スライダ部材１に前後方向Ｎに所定前後寸法Ｚだけスライド移動可能に外嵌状に組付けられた樹脂製の第２スライダ部材２を備えている。
【００２５】
図10乃至図13に示すように、第１スライダ部材１及び第２スライダ部材２は、ファスナＦを開閉操作するための組付完了状態で、ファスナ雌雄一方部Ｆａが前後方向Ｎに挿通すると共に、左右一方側Ｗａに開口する前方上傾状の第１差込溝31と、ファスナ雌雄他方部Ｆｂが前後方向Ｎに挿通すると共に、左右他方側Ｗｂに開口する前方下傾状の第２差込溝32と、第１差込溝31の後部と第２差込溝32の後部に連通すると共に左右方向Ｗに開口する合流通路部33と、を形成し、さらに、合流通路部33の後部に連通して閉状態のファスナＦが前後方向Ｎに挿通すると共に左右方向Ｗに開口する後絞り路34を形成して、内部にファスナ雌雄一方部Ｆａとファスナ雌雄他方部Ｆｂを上下方向Ｔに接近・離間させるためのＹ字型誘導路を設けている。
【００２６】
第１スライダ部材１は、上壁部13の前方上傾状の下面13ｂと、分離ガイド部18の前方上傾状の上面18ａと、左右他方側壁部17の内面と、によって形成され左右一方側Ｗａに開口する横断面コの字状かつ側面視前方上傾状の上溝部11を有している。
また、第１スライダ部材１は、下壁部14の前方下傾状の上面14ａと、分離ガイド部18の前方下傾状の下面18ｂと、左右一方側壁部16の内面と、によって形成され左右他方側Ｗｂに開口する横断面コの字状かつ側面視前方下傾状の下溝部12を有している。
また、第１スライダ部材１は、上溝部11及び下溝部12の後部と連通すると共に絞り部19と連通する合流空間部を有している。
【００２７】
図10と図12及び図20乃至図22に示すように、第２スライダ部材２は、第１スライダ部材１の左右一方側壁部16に前後スライド自在に取着され第１スライダ部材１の上壁部13の下面13ｂの左右一方側縁部と対面状に配設される前方上傾状の上面26ａを有する第１側壁部26を備えると共に、第１スライダ部材１の左右他方側壁部17に前後スライド自在に取着され第１スライダ部材１の下壁部14の上面14ａの左右他方側縁部と対面状に配設される前方下傾状の下面27ｂを有する第２側壁部27を備えている。また、第２スライダ部材２は、第１側壁部26と第２側壁部27とを前方側Ｎａで左右方向Ｗに連結する連結部28を有し、平面視コの字状に形成されている。
【００２８】
そして、第１スライダ部材１の上溝部11と第２スライダ部材２の第１側壁部26によって、第１差込溝31を形成している。第１スライダ部材１の上壁部13の下面13ｂの左右一方側縁部と、第２スライダ部材２の第１側壁部26の上面26ａによって、第１差込溝31の前方上傾スリット状の左右一方開口部31ａが形成されている。この上壁部13の下面13ｂと第１側壁部26の上面26ａの間の寸法を開口幅寸法Ｓ１と呼ぶ。
また、第１スライダ部材１の下溝部12と第２スライダ部材２の第２側壁部27によって、第２差込溝32を形成している。第１スライダ部材１の下壁部14の上面14ａの左右他方側縁部と第２スライダ部材２の第２側壁部27の下面27ｂによって、第２差込溝32の前方下傾スリット状の左右他方開口部32ａが形成されている。この下壁部14の上面14ａの左右他方側縁部と第２側壁部27の下面27ｂの間の寸法を開口幅寸法Ｓ２と呼ぶ。
また、第１スライダ部材１の合流空間部と、第２スライダ部材２の第１・第２側壁部26，27によって、合流通路部33を形成している。
また、第１スライダ部材１の絞り部19と、第２スライダ部材２の第１・第２側壁部26，27によって、後絞り路34を形成している。
また、第１スライダ部材１の上壁部13の下面13ｂの左右一方側縁部と、第２スライダ部材２の第１側壁部26の上面26ａによって、第１シート部91のフィルム部91ｇが左右一方側Ｗａから差し込まれ、そのフィルム部91ｇを前後方向Ｎに通過させるための第１スリット開口部を形成している。
また、第２スライダ部材２の下壁部14の上面14ａの左右他方側縁部と、第２スライダ部材２の第２側壁部27の下面27ｂによって、第２シート部92のフィルム部92ｇが左右他方側Ｗｂから差し込まれ、そのフィルム部92ｇを前後方向Ｎに通過させるための第２スリット開口部を形成している。
【００２９】
次に、図14乃至図17に示すように、第２スライダ部材２を第１スライダ部材１よりも所定前後寸法Ｚだけ前方側Ｎａに配設して前後方向Ｎに相互に離間した状態で組付いている半組付状態において、第１スライダ部材１の上溝部11と第２スライダ部材２の第１側壁部26の後方部位によって第１差込溝31が形成される。また、第１スライダ部材１の下溝部12と第２スライダ部材２の第２側壁部27の後方部位によって第２差込溝32が形成される。
【００３０】
そして、半組付状態において、第１スライダ部材１の上壁部13の下面13ｂの左右一方側縁部と、第２スライダ部材２の第１側壁部26の上面26ａの後方側部位と、が対面状となって、第１差込溝31の左右一方開口部31ａを形成する。
また、第１スライダ部材１の下壁部14の上面14ａの左右他方側縁部と、第２スライダ部材２の第２側壁部27の下面27ｂの後方側部位と、が対面状となって、第２差込溝32の左右他方開口部32ａを形成する。
【００３１】
第１差込溝31の左右一方開口部31ａの開口幅寸法Ｓ１（以下、第１開口幅寸法Ｓ１と呼ぶ場合がある）は、半組付状態において、第１シート部91の開口端縁部91ａのファスナ雌雄一方部Ｆａを、第１差込溝31の内部へ左右一方側Ｗａから差込可能な大きさに設定されている。
第２差込溝32の左右他方開口部32ａの開口幅寸法Ｓ２（以下、第２開口幅寸法Ｓ２と呼ぶ場合がある）は、半組付状態において、第２シート部92の開口端縁部92ａのファスナ雌雄他方部Ｆｂを、第２差込溝32の内部へ左右他方側Ｗｂから差込可能な大きさに設定されている。
【００３２】
そして、半組付状態から第１スライダ部材１及び第２スライダ部材２を相対的に前後方向Ｎに移動して相互に接近させると、上壁部13の下面13ｂの左右一方側縁部と、第１側壁部26の上面26ａの前方側部位とが接近するにつれ第１開口幅寸法Ｓ１が減少すると共に、下壁部14の上面14ａの左右他方縁部と、第２側壁部27の下面27ｂの前方部位と、が接近するにつれ、第２開口幅寸法Ｓ２が減少する。
図10と図12と図22に示すように、第１スライダ部材１と第２スライダ部材２を相互に最接近させた接近完了位置（側面視で略一致する位置）で、第１開口幅寸法Ｓ１は、ファスナ雌雄一方部Ｆａが左右一方側Ｗａへ通過不可能な大きさに設定され、第２開口幅寸法Ｓ２は、ファスナ雌雄他方部Ｆｂが左右他方側Ｗｂへ通過不可能な大きさに設定されている。
従って、各差込溝31，32内のファスナ雌雄一方部Ｆａ・ファスナ雌雄他方部Ｆｂの左右方向Ｗへの抜け止めが可能となる。
【００３３】
また、図14及び図17に示すように、半組付状態において、第１スライダ部材１の絞り部19の左右両側には第２スライダ部材２の第１・第２側壁部26，27が配設されず、絞り部19の開口拡大変形を可能とし、閉状態のファスナＦが（ファスナ雌雄一方部Ｆａとファスナ雌雄他方部Ｆｂが係合している状態で）容易に差し込み可能としている。
【００３４】
ここで、第１スライダ部材１と第２スライダ部材２を相対的に前後方向Ｎに移動して相互に接近・離間させるためのスライド手段５は、図12と図13と図18と図19に示すように、第１スライダ部材１の左右一方側壁部16から前後方向Ｎに沿って左右一方側Ｗａへ突設された第１凸条部51と、第１スライダ部材１の左右他方側壁部17から前後方向Ｎに沿って左右他方側Ｗｂへ突設された第２凸条部52と、図12と図13と図20と図21に示すように、第２スライダ部材２の第１側壁部26の内面に前後方向Ｎに沿って左右一方側Ｗａへ窪設され第１凸条部51が前後スライド自在に差し込まれる第１ガイド凹条部53と、第２スライダ部材２の第２側壁部27の内面に前後方向Ｎに沿って左右他方側Ｗｂへ窪設され第２凸条部52が前後スライド自在に差し込まれる第２ガイド凹条部54と、を備えたものである。
【００３５】
さらに、図10と図22に示すように、第１スライダ部材１と第２スライダ部材２を相対的に前後方向Ｎに移動して相互に最接近させた接近完了位置で、第１スライダ部材１と第２スライダ部材２を結合して、接近完了位置を保持し組付完了状態とするための連結手段６を備えている。
連結手段６は、図10と図18乃至図22に示すように、第１スライダ部材１から左右外方に突出する複数の係止爪部61と、第２スライダ部材２に貫設され接近完了位置で係止爪部61と係合する係止窓部62と、を備えている。
【００３６】
具体的には、第１スライダ部材１から左右外方に突出する左右一対の前方係止爪部61ａ，61ａと、第２スライダ部材２に貫設され接近完了位置で前方係止爪部61ａ，61ａと係合する前方係止窓部62ａ，62ａと、第１スライダ部材１から左右外方に突出する左右一対の後方係止爪部61ｂ，61ｂと、第２スライダ部材２に貫設され接近完了位置で後方係止爪部61ｂ，61ｂと係合する後方係止窓部62ｂ，62ｂと、を備えている。
左右一方側Ｗａの係止爪部61は、第１凸条部51に突設し、左右他方側Ｗｂの係止爪部61は、第２凸条部52に突設している。また、左右一方側Ｗａの係止窓部62は第１ガイド凹条部53に貫設し、左右他方側Ｗｂの係止窓部62は第２ガイド凹条部54に貫設している。
【００３７】
そして、図14に示すように、第１スライダ部材１と第２スライダ部材２が相対的に前後方向Ｎに所定前後寸法Ｚだけ離間させて、第２スライダ部材２を第１スライダ部材１よりも前方側Ｎａに配設した半組付位置で、前方係止爪部61ａ，61ａと、後方係止窓部62ｂ，62ｂと、が係合して所定前後寸法Ｚを越えて前後方向Ｎに相互に離間する（分離する）のを防止している。
つまり、接近完了位置で、第１スライダ部材１と第２スライダ部材２を位置決め保持して、半組付状態とするための係止爪部61と係止窓部62とを備えた抜け止め手段７を具備している。
【００３８】
また、図18と図19に示すように、係止爪部61は、前方側Ｎａに、後方側Ｎｂへ向かって次第に左右外方へ傾斜するガイド斜面75と、第１・第２凸条部51，52から左右外方へ突出してガイド斜面75の後縁部側と接続する係止面76と、を有する平面視略三角形のカエリ型に形成している。
第１スライダ部材１及び第２スライダ部材２が前後方向Ｎに相互に接近する際は、第１・第２ガイド凹条部53，54の左右側内面がガイド斜面75に摺接し、係止爪部61を押圧して弾性変形させる。或いは、押圧の反力をもって、第２スライダ部材２の第１・第２側壁部26，27を左右外方へ押し広げるように弾性変形させる。そして、係止窓部62の後端縁部がガイド斜面75を通過すると、係止窓部62の後内面が、係止爪の係止面76に係合し、第１スライダ部材１と第２スライダ部材２が前後方向Ｎに相互に離間するのを防止して、連結が完了した組付完了状態となる。
【００３９】
また、図11の組付完了状態に於て、第２スライダ部材２の連結部28と、第１スライダ部材１の前壁部71と、が当接する。例えば、第１スライダ部材１を固定して見ると、第２スライダ部材２が後方へ行き過ぎるのを防止している。
また、第１スライダ部材１の前壁部71に、前方側Ｎａへ開口する凹部71ａを設け、第２スライダ部材２の連結部28に後方側Ｎｂへ突出して組付完了状態で凹部71ａに差し込まれる凸部28ａを設けて、組付完了状態で第１スライダ部材１と第２スライダ部材２との相互の位置ズレやガタつきを防止するように構成している。
【００４０】
また、図13に示すように、第２スライダ部材２は、接近完了位置（組付完了状態）で第１側壁部26の剛性をもって第１スライダ部材１の絞り部19に対応する下壁部14の下方側Ｔｂへの揺動を防止し、第２側壁部27の剛性をもって第１スライダ部材１の絞り部19に対応する上壁部13の上方側Ｔａへの揺動を防止して、第１スライダ部材１の絞り部19が上下方向Ｔに拡大変形するのを阻止するように構成している。
【００４１】
さらに、図23及び図24に示すように、接近完了位置（組付完了状態）で、第１開口幅寸法Ｓ１を、部分的にさらに減少させて第１シート部91のフィルム部91ｇを挟圧して、ファスナＦを開閉操作するための前後方向Ｎのスライドを阻止するスライドロック（開閉操作ロック）手段８を具備している。
【００４２】
スライドロック手段８は、第１スライダ部材１の上壁部13に左右方向Ｗの枢着軸心Ｌ廻りに揺動自在に枢着した樹脂製の把持部材４の左右一方側Ｗａの枢着基端部41に突設した押圧凸部42と、枢着基端部41の近傍で第１スライダ部材１の上壁部13を前方側Ｎａから切り欠いた切欠部15（図16と図18及び図19参照）をもって、上下揺動可能とした部位から成る弾性舌片部13ｆと、を備えている。
弾性舌片部13ｆは、第２スライダ部材２の第１側壁部26の上面26ａと対面状となる第１スライダ部材１の上壁部13の左右一方側縁部の一部である。
【００４３】
スライドロック手段８は、把持部材４の揺動先端部を枢着軸心Ｌ廻りに倒すことで、押圧凸部42が枢着軸心Ｌ周りに移動して、弾性舌片部13ｆを下方へ押圧して、第１側壁部26の上面26ａに接近させ、第１開口幅寸法Ｓ１をさらに強制減少させて、左右一方開口部31ａ内の第１シート部91のフィルム部91ｇを挟圧可能に構成している。
【００４４】
また、図11に於て、第１スライダ部材１の絞り部19は、上壁部13の下面13ｂから下方側Ｔｂへ突出する絞り用第１凸部19ａと、下壁部14の上面14ａから上方側Ｔａへ突出する絞り用第２凸部19ｂと、を有している。絞り用第１・第２凸部19ａ，19ｂによって、ファスナ雌雄一方部Ｆａとファスナ雌雄他方部Ｆｂを確実に係合状態にしている。なお、図18と図19及び図24において、絞り用第１・第２凸部19ａ，19ｂを図示省略している。
【００４５】
次に、スライダ具３の使用方法（作用）について説明する。
第１スライダ部材１と第２スライダ部材２を前後方向Ｎに接近させて、図14に示すように、第１スライダ部材１の前方係止爪部61ａ，61ａと第２スライダ部材２の後方係止窓部62ｂ，62ｂとを係合し、所定前後寸法Ｚだけ前後方向Ｎに相互に離間し、第１スライダ部材１が第２スライダ部材２よりも後方側Ｎｂに配設された半組付状態とする。
【００４６】
袋体９の開状態の開口部９ｄに半組付状態の第１スライダ部材１及び第２スライダ部材２を配設し、ファスナ雌雄一方部Ｆａ（第１シート部91の開口端縁部91ａ）を第１差込溝31に左右一方側Ｗａから接近させ、或いは、ファスナ雌雄一方部Ｆａに第１差込溝31を左右他方側Ｗｂから接近させ、左右一方開口部31ａを介して差し込むと共に、ファスナ雌雄他方部Ｆｂ（第２シート部92の開口端縁部92ａ）を左右他方側Ｗｂから第２差込溝32に接近させ、或いは、ファスナ雌雄他方部Ｆｂに第２差込溝32を左右一方側Ｗａから接近させ、左右他方開口部32ａを介して差し込む。開口幅寸法Ｓ１，Ｓ２が十分に広く容易に袋体９（開口部９ｄ）に取着できる。
【００４７】
ファスナ雌雄一方部Ｆａとファスナ雌雄他方部Ｆｂに取着した半組付状態の第１スライダ部材１及び第２スライダ部材２を、ファスナＦに沿って後方側Ｎｂへスライド移動させ、予めファスナ雌雄一方部Ｆａとファスナ雌雄他方部Ｆｂとを係合させた閉状態のファスナＦを、第１スライダ部材１の絞り部19に、後方側Ｎｂから差し込む。或いは、各差込溝31，32にファスナ雌雄一方部Ｆａとファスナ雌雄他方部Ｆｂを夫々取着する前に、閉状態のファスナＦに、第１スライダ部材１の絞り部19を拡大弾性変形させて差込む。半組付状態で第１スライダ部材１の絞り部19は上下方向Ｔに弾性拡大変形するため、容易に差し込まれる。
【００４８】
半組付状態の第１スライダ部材１及び第２スライダ部材２は、抜け止め手段７（第１スライダ部材１の前方係止爪部61ａ，61ａと第２スライダ部材２の後方係止窓部62ｂ，62ｂとの係合）により、分離せず、袋体９への取着作業中の落下や部材の紛失を防止する。
【００４９】
そして、図14乃至図17に示すように、第１シート部91と第２シート部92に取着した半組付状態の第１スライダ部材１及び第２スライダ部材２を、相対的に前後方向Ｎに移動させて相互に接近させると、第１スライダ部材１の上壁部13の下面13ｂの左右一方側縁部と、第２スライダ部材２の第１側壁部26の上面26ａの前方部位と、が接近するにつれ、第１開口幅寸法Ｓ１が減少すると共に、第１スライダ部材１の下壁部14の上面14ａの左右他方側縁部と、第２スライダ部材２の第２側壁部27の下面27ｂの前方部位と、が接近するにつれ、第２開口幅寸法Ｓ２が減少する。
【００５０】
さらに、相互に最接近させた接近完了位置で、図10に示すように、連結手段６の第１スライダ部材１の前方係止爪部61ａが第２スライダ部材２の前方係止窓部62ａと係合し、第１スライダ部材１の後方係止爪部61ｂが第２スライダ部材２の後方係止窓部62ｂと係合して、第１スライダ部材１と第２スライダ部材２が一体状に結合した組付完了状態となる。
【００５１】
組付完了状態で、第１開口幅寸法Ｓ１が、第１シート部91のフィルム部91ｇが左右方向Ｗに挿通可能かつファスナ雌雄一方部Ｆａが左右方向Ｗに挿通不可能な大きさに減少すると共に、第２開口幅寸法Ｓ２が、第２シート部92のフィルム部92ｇが左右方向Ｗに挿通可能かつファスナ雌雄他方部Ｆｂが左右方向Ｗに挿通不可能な大きさに減少する。
各差込溝31，32内のファスナ雌雄一方部Ｆａ及びファスナ雌雄他方部Ｆｂの左右方向Ｗへの抜けが防止される。
【００５２】
また、ファスナＦを開状態、又は、閉状態に保持するために、組付完了状態の第１スライダ部材１及び第２スライダ部材２のスライド移動を阻止する場合は、図10に示すように、把持部材４を起立状姿勢から、枢着軸心Ｌ廻りに揺動させて揺動先端部を後方側Ｎｂへ倒して水平状姿勢に寝かせると、図23に示すように、押圧凸部42が弾性舌片部13ｆを下方側Ｔｂへ押圧して、左右一方開口部31ａの前方部位の第１開口幅寸法Ｓ１が、第１シート部91のフィルム部91ｇの厚み寸法よりも小さくなって、第１シート部91のフィルム部91ｇ（開口端縁部91ａ近傍）を挟圧して、前後方向Ｎのスライド移動を阻止するスライドロック状態となる。
【００５３】
また、図23のスライドロック状態から、把持部材４の揺動先端部を枢着軸心Ｌ廻りに上方へ揺動させて起立姿勢にすると、押圧凸部42が弾性舌片部13ｆから離間し、押圧をやめて、弾性舌片部13ｆの弾性的復元力により、第１開口幅寸法Ｓ１が戻って、フィルム部91ｇを挟圧せず、スライドロックが解除される。
【００５４】
また、係止窓部62を介して指や工具等で係止爪部61を押圧して弾性変形させる、或いは、その反力をもって第１・第２側壁部26，27を左右外方へ離間させることで、係合を解除し、第１スライダ部材１及び第２スライダ部材２を前後方向Ｎに相互に離間するようにスライドさせて、第１スライダ部材１及び第２スライダ部材２を半組付状態にし、袋体９から離脱させることが可能である。
【００５５】
なお、スライダ具３は、設計変更可能であって、図例では把持部材４の揺動先端部を後方側Ｎｂへ倒すとスライドロックするように押圧凸部42を設けているが、押圧凸部42を揺動先端部を前方側Ｎａへ倒すとスライドロックするように設けても良い。また、押圧凸部42を２箇所設けても良い。
【００５６】
つまり、スライダ具３は、第１シート部91に設けられたファスナ雌雄一方部Ｆａと第２シート部92に設けられたファスナ雌雄他方部Ｆｂとを相互に上下方向Ｔから押圧して係合させるための絞り部19を後端部１ｂに有する第１スライダ部材１と、該第１スライダ部材１に前後方向Ｎに所定前後寸法Ｚだけ移動可能に組み付けられた第２スライダ部材２と、を備え、第１スライダ部材１と第２スライダ部材２によって、左右一方側Ｗａに開口すると共にファスナ雌雄一方部Ｆａが挿通する前方上傾状の第１差込溝31と、左右他方側Ｗｂに開口すると共にファスナ雌雄他方部Ｆｂが挿通する前方下傾状の第２差込溝32と、が形成され、第１スライダ部材１と第２スライダ部材２を相対的に前後方向Ｎに移動して相互に接近させると、第１差込溝31及び第２差込溝32の各開口幅寸法Ｓ１，Ｓ２が減少して、各差込溝31，32内のファスナ雌雄一方部Ｆａ・ファスナ雌雄他方部Ｆｂの左右方向Ｗへの抜け止めを行うように構成したので、袋体９の両側縁部９ｆ，９ｆを閉じた後（融着後）であっても、スライダ具３を取り付けることができ、袋体９の製造を容易かつ効率良く行うことができる。つまり、ファスナＦの前方端と後方端が融着により開閉不可能であっても、ファスナＦの前後中間部位に、左右方向Ｗから接近させて後付けできる。袋体９に着脱自在に取着できる。第１スライダ部材１及び第２スライダ部材２の紛失を防止できる。また、ファスナ雌雄一方部Ｆａとファスナ雌雄他方部Ｆｂとを押圧する反力に負けて、絞り部19が拡大変形して、係合が不完全になるのを防止できる。また、接近完了前では、絞り部19を拡大変形でき、袋体９へ取着する際に、閉状態のファスナＦを容易かつスムーズに差し込むことができる。不用意なファスナＦの開閉を防止できる。特に、袋体９を持ち歩きしている際に、各部材１，２，４の自重や振動等によって、不用意に袋体９の開口部９ｄのファスナＦが開口するのを防止できる。
【００５７】
次に、図７に、本発明に係る収納袋の第２実施形態を示す。
図７の基準姿勢において、第１半部81の開口端縁部81ａよりも袋内方側に、第２半部82の開口端縁部82ａが配設されるようにラップ部Ｒを設けている。そして、第１半部81の内面81ｆに第１部材Ｊを設けると共に、第２半部82の外面82ｅに第２部材Ｋを設けている。
また、袋素材10は、図８（ａ）に示すように、第１実施形態に用いたものと同じであって、フィルム素材70の一縁部70ｊの一面70ａに、第１部材Ｊを融着すると共に他縁部70ｋの他面70ｂに第２部材Ｋを融着したものである。そして、図８（ｂ）に示すように、一面70ａが袋体９の内面となるように（他面70ｂが袋体９の外面となるように）折曲げ、かつ、一縁部70ｊよりも他縁部70ｋが袋内方側となるようにラップさせる（折曲工程）。そして、筒状体作成工程を行った後、側縁部形成工程を行って作成したものである。
また、融着仕切部95や薄帯片収納部９ｅや薄帯片60等の構成は、第１実施形態と同様である。
【００５８】
また、図９に示すように、スライダ具３を備えている。スライダ具３は第１実施形態で用いたものと同じ構造である。つまり、上述の図10乃至図24を用いたスライダ具３の説明において、第１シート部91が第２実施形態の第１半部81に相当し、第２シート部92が第２実施形態の第２半部82に相当し、ファスナ雌雄一方部Ｆａは、第２実施形態の第１半部81の開口端縁部81ａに第１部材Ｊを設けた部位に相当し、ファスナ雌雄他方部Ｆｂは、第２実施形態の第２半部82の開口端縁部82ａに第２部材Ｋを設けた部位に相当する。
【００５９】
なお、本発明は、設計変更可能であって、袋素材10を折曲げて袋体９を製作する際に、袋体９の他端縁部９ｂに対応する部位を複数回折曲げて、マチを形成しても良い。また、表壁部90や裏壁部99にグラビア印刷等で装飾しても良い。また、図例では、第１部材Ｊが横断面円形頭型の雄部を有する凸条型部材であって、第２部材Ｋが横断面Ｕ字溝型の雌部を有する凹条（溝）型部材であるが、第１部材Ｊが雌部を有し、第２部材Ｋが雄部を有しても良い。また、雄部及び雌部は相互に係合・分離自在（係脱自在）であれば、横断面形状は自由である。また、図４に示した袋素材10の製造装置は、第１・第２回転ドラム21，24の外周面にフィルム素材70を押し付ける押圧ローラ（補助ローラ）や、第１・第２融着手段22，25と、フィルム素材70の間に配設される耐熱性ベルトコンベア等の搬送補助手段等は、図示省略している。また、融着は、ヒータ融着、超音波融着、高周波融着等自由である。
なお、本発明の説明を容易にするために、袋体９を、水平状面の設置面Ｇに載置した場合を基準姿勢として、方向を説明している。したがって、方向を基に、使用状態の姿勢を限定するものではない。例えば、一端縁部９ａ側に持ち手部材59を設けた場合は、他端縁部９ｂ側は、使用状態において下方（下端縁部）となる。
【００６０】
以上のように、本発明の収納袋は、相互に係合・分離自在な雄部・雌部の一方を有する第１部材Ｊと、他方を有する第２部材Ｋから成るファスナＦを備えた収納袋に於て、一端縁部９ａと他端縁部９ｂの間の中間位置で、表壁部90を一端縁部９ａ側の第１半部81と他端縁部９ｂ側の第２半部82に分離する開口部９ｄを有し、第１半部81の外面81ｅに第１部材Ｊを設けると共に、第２半部82の内面82ｆに第２部材Ｋを設けて、ファスナＦによって開口部９ｄを開閉自在に構成し、さらに、第１半部81と裏壁部99と第２半部82は、一枚のフィルム素材70を折曲げて構成されているので、一端縁部９ａ側がフィルム素材70の折曲げによって形成され、コシが強いと共に十分な強度を得ることができ、持ち手部材59の取着や、持ち手用又は吊下展示用の窓部を設けても伸びや破れ等の不具合が発生せず、重い収納物の収容が可能となる。袋体９を容易かつ迅速に効率製造できる。ファスナＦよりも一端縁部９ａ側を、広告や商品説明等の装飾印刷可能なヘッダ部や持ち手部材取付部位や窓形成部位として利用でき、バッグや商品展示用として様々な用途に使用できる。また、持ち手部材59を付設しても、開口部９ｄの開閉を容易に行うことができる。
【００６１】
また、相互に係合・分離自在な雄部・雌部の一方を有する第１部材Ｊと、他方を有する第２部材Ｋから成るファスナＦを備えた収納袋に於て、一端縁部９ａと他端縁部９ｂの間の中間位置で、表壁部90を一端縁部９ａ側の第１半部81と他端縁部９ｂ側の第２半部82に分離する開口部９ｄを有し、第１半部81の内面81ｆに第１部材Ｊを設けると共に、第２半部82の外面82ｅに第２部材Ｋを設けて、ファスナＦによって開口部９ｄを開閉自在に構成し、さらに、第１半部81と裏壁部99と第２半部82は、一枚のフィルム素材70を折曲げて構成されているので、一端縁部９ａ側がフィルム素材70の折曲げによって形成され、コシが強いと共に十分な強度を得ることができ、持ち手部材59の取着や、持ち手用又は吊下展示用の窓部を設けても伸びや破れ等の不具合が発生せず、重い収納物を収容が可能となる。袋体９を容易かつ迅速に効率良く製造できる。ファスナＦよりも一端縁部９ａ側を、広告や商品説明等の装飾印刷可能なヘッダ部や持ち手部材取付部位や窓形成部位として利用でき、バッグや商品展示用として様々な用途に使用できる。また、持ち手部材59を付設しても、開口部９ｄの開閉を容易に行うことができる。
【００６２】
また、一端縁部９ａと開口部９ｄの間で装飾用及び／又は補強用の薄帯片60を収納する薄帯片収納部９ｅを形成するための融着仕切部95を、一端縁部９ａと平行状に有するので、薄帯片60が開口部９ｄよりも他端縁部９ｂ側へ移動するのを防止し、常に、所定位置に配設され、美観に優れた収納袋を得ることができる。一端縁部９ａにヘッダ部材等を融着にて後付けする必要がなく、容易かつ迅速に製造できる。
【符号の説明】
【００６３】
１ 第１スライダ部材
１ｂ 後端部
２ 第２スライダ部材
３ スライダ具
９ 袋体
９ａ  一端縁部
９ｂ  他端縁部
９ｄ  開口部
９ｅ  薄帯片収納部
19 絞り部
31 第１差込溝
32 第２差込溝
60  薄帯片
70  フィルム素材
81  第１半部
81ｅ  外面
81ｆ  内面
82  第２半部
82ｅ  外面
82ｆ  内面
90  表壁部
95  融着仕切部
99  裏壁部
Ｆ  ファスナ
Ｆａ ファスナ雌雄一方部
Ｆｂ ファスナ雌雄他方部
Ｊ  第１部材
Ｋ  第２部材
Ｎ 前後方向
Ｓ１ 開口寸法
Ｓ２ 開口寸法
Ｔ 上下方向
Ｗ 左右方向
Ｗａ 左右一方側
Ｗｂ 左右他方側
Ｚ 所定前後寸法
【要約】
【課題】本発明は、ファスナを設けたことによって端縁部の強度やコシが低下することなく、しかも、容易かつ迅速に効率良く製造が可能な収納袋を提供する。
【解決手段】相互に係合・分離自在な雄部・雌部の一方を有する第１部材Ｊと、他方を有する第２部材Ｋから成るファスナＦを備えた収納袋に於て、一端縁部９ａと他端縁部９ｂの間の中間位置で、表壁部90を一端縁部９ａ側の第１半部81と他端縁部９ｂ側の第２半部82に分離する開口部９ｄを有し、第１半部81の外面81ｅに第１部材Ｊを設けると共に、第２半部82の内面82ｆに第２部材Ｋを設けて、ファスナＦによって開口部９ｄを開閉自在に構成し、さらに、第１半部81と裏壁部99と第２半部82は、一枚のフィルム素材70を折曲げて構成されている。
【選択図】図２【図１】
0005462407.tif 000002
【図２】
0005462407.tif 000003
【図３】
0005462407.tif 000004
【図４】
0005462407.tif 000005
【図５】
0005462407.tif 000006
【図６】
0005462407.tif 000007
【図７】
0005462407.tif 000008
【図８】
0005462407.tif 000009
【図９】
0005462407.tif 000010
【図１０】
0005462407.tif 000011
【図１１】
0005462407.tif 000012
【図１２】
0005462407.tif 000013
【図１３】
0005462407.tif 000014
【図１４】
0005462407.tif 000015
【図１５】
0005462407.tif 000016
【図１６】
0005462407.tif 000017
【図１７】
0005462407.tif 000018
【図１８】
0005462407.tif 000019
【図１９】
0005462407.tif 000020
【図２０】
0005462407.tif 000021
【図２１】
0005462407.tif 000022
【図２２】
0005462407.tif 000023
【図２３】
0005462407.tif 000024
【図２４】
0005462407.tif 000025